(57)【要約】【課題】水溶液及び魚介類等の出し入れが容易であると共に，容器本体における実質的な収容容積が小さくなることを抑制できる搬送容器を提供すること。【解決手段】発泡樹脂製の搬送容器１は，容器本体２，蓋部３及び着脱自在のポンプケース４を有している。ポンプケース４は，隔壁４３により，エアーポンプ５を配置するポンプ配置室４１と，ホース室４２とに区画してある。隔壁４３の上端部４３１には第１導出部４３１が設けてあり，ホース室４２には第１導出部４２１が設けてある。搬送容器１は，ポンプケース４を容器本体２の側壁２１における内壁面２０１に形成した載置段差部２２に載置した状態においては，エアーホース５１が隔壁４３の第１導出部４３１及びホース室４２の第１導出部４２１を経由して，容器本体２内に導出されるよう構成され，かつポンプケース４の下方に収納空間が形成されるよう構成されている。【選択図】　図１
2004135550.tif 000002
【特許請求の範囲】
【請求項１】
容器本体と蓋部とを有してなる発泡樹脂製の搬送容器において，
該搬送容器は，上記容器本体に対して着脱自在に設けたポンプケースを有していると共に，上記容器本体の側壁における内壁面には，上記ポンプケースを載置するための載置段差部が形成されており，
上記ポンプケースは，隔壁により，エアーポンプを配置するポンプ配置室と，上記エアーポンプに接続されたエアーホースを経由させるホース室とに区画してあると共に，該隔壁の上端部には，上記エアーホースを上記ホース室に導くための第１導出部を，また上記ホース室には，上記エアーホースを上記容器本体内に導くための第２導出部を設けてあり，
上記ポンプケースを上記載置段差部に載置した状態においては，上記エアーホースが上記隔壁の上記第１導出部及び上記ホース室の上記第２導出部を経由して，上記容器本体内に導出されるよう構成してあると共に，上記ポンプケースの下方には収納空間が形成されていることを特徴とする搬送容器。
【請求項２】
請求項１において，上記容器本体の側壁における内壁面には，上記ポンプケースが横方向にずれることを防止する横段差部が形成されていることを特徴とする搬送容器。
【請求項３】
請求項１又は２において，上記ポンプケースの側壁における上端部には，該側壁の厚みを縮小傾斜させたケース傾斜凸部が形成されていると共に，上記蓋部の下面には，上記ケース傾斜凸部に係合するケース係合凹部が形成されていることを特徴とする搬送容器。
【請求項４】
請求項１〜３のいずれか一項において，上記ポンプ配置室の底上面には，上記ホース室に向けて低くなるよう傾斜した傾斜底面が形成されていると共に，該傾斜底面の最も低い最下端部は，上記ホース室の底上面よりも高い位置にあり，
かつ，上記隔壁の上記第１導出部は，上記最下端部に繋がるよう形成されていることを特徴とする搬送容器。
【請求項５】
請求項１〜４のいずれか一項において，上記ポンプケースの側壁における外壁面には，下方に向けて内側に傾斜するケース傾斜面が形成されており，上記容器本体の側壁における内壁面において上記載置段差部よりも上方の部分には，上記ケース傾斜面と対面する傾斜内壁面が形成されていることを特徴とする搬送容器。
【請求項６】
請求項１〜５のいずれか一項において，上記ポンプケースは，ヒンジ部を介して一体的に設けたケース蓋部を有しており，該ケース蓋部には，上記ポンプ配置室内にエアーを導くためのエアー導入口が設けてあることを特徴とする搬送容器。
【発明の詳細な説明】
【０００１】
【技術分野】
本発明は，水溶液を入れて魚介類などを搬送するための搬送容器に関する。
【０００２】
【従来技術】
容器本体と蓋部とからなる発泡樹脂製の搬送容器は，容器本体又は蓋部に，容器本体に保持する水溶液にエアーを噴出するエアーポンプを有している。そして，この搬送容器は，内部に水溶液を入れると共に魚，イカ，タコ，貝等の魚介類を入れて，上記エアーポンプにより空気を噴出しながら搬送する際に用いられる。
【０００３】
このような搬送容器としては，特許文献１，２に示されるものがある。特許文献１の搬送容器は，容器本体にエアーポンプを配置するためのポンプ配置室を一体成形しており，かつこのポンプ配置室の下部には，ポンプ配置室に溜まった水溶液を排水する排水穴及びこの排水を行うための空間が形成されている。
また，特許文献２の搬送容器は，蓋部にエアーポンプを配置するためのポンプ配置室を設け，このポンプ配置室の下部に，ポンプ配置室に溜まった水溶液を排水するための排水穴を形成している。
【０００４】
【特許文献１】
特許第３２８９９３０号公報（第１図，第２図等）
【特許文献２】
特許第２９３９０７１号公報（第１図等）
【０００５】
【解決しようとする課題】
しかしながら，上記特許文献１の搬送容器においては，ポンプ配置室の下部に排水を行うための空間を形成しており，容器本体において水溶液及び魚介類を収容するための実質的な収容容積を小さくしてしまう。また，この収容容積が小さくなるため，容器本体において水溶液及び魚介類を出し入れするための開口部分が小さくなり，これらを出し入れする際の作業性を悪化させてしまうおそれがある。
一方，上記特許文献２の搬送容器においては，上記エアーポンプを上記蓋部に配置している。そのため，蓋部の重量が大きくてこの取扱いが容易ではなく，水溶液及び魚介類を出し入れする際の作業性を悪化させてしまうおそれがある。
【０００６】
本発明は，かかる従来の問題点に鑑みてなされたもので，水溶液及び魚介類等の出し入れが容易であると共に，容器本体における実質的な収容容積が小さくなることを抑制することができる搬送容器を提供しようとするものである。
【０００７】
【課題の解決手段】
本発明は，容器本体と蓋部とを有してなる発泡樹脂製の搬送容器において，
該搬送容器は，上記容器本体に対して着脱自在に設けたポンプケースを有していると共に，上記容器本体の側壁における内壁面には，上記ポンプケースを載置するための載置段差部が形成されており，
上記ポンプケースは，隔壁により，エアーポンプを配置するポンプ配置室と，上記エアーポンプに接続されたエアーホースを経由させるホース室とに区画してあると共に，該隔壁の上端部には，上記エアーホースを上記ホース室に導くための第１導出部を，また上記ホース室には，上記エアーホースを上記容器本体内に導くための第２導出部を設けてあり，
上記ポンプケースを上記載置段差部に載置した状態においては，上記エアーホースが上記隔壁の上記第１導出部及び上記ホース室の上記第２導出部を経由して，上記容器本体内に導出されるよう構成してあると共に，上記ポンプケースの下方には収納空間が形成されていることを特徴とする搬送容器にある（請求項１）。
【０００８】
本発明の搬送容器は，上記容器本体とは別体の上記ポンプケースを有している。そして，このポンプケースは，上記容器本体に対して着脱自在であり，容器本体に水溶液及び魚介類等を出し入れする際には，容器本体より取り外すことができる。そのため，この出し入れの際には，容器本体内にポンプケースが障害物として存在することがなく，容器本体の上方のほぼ全体を開口させることができる。
そのため，この広い開口部分に対して水溶液及び魚介類等を出し入れすることができ，この作業が容易である。
【０００９】
また，上記ポンプケースには，上記エアーポンプを配置するポンプ配置室と，上記エアーホースを経由させるホース室とが形成されている。そして，上記容器本体内に水溶液及び魚介類等を収納すると共に，上記エアーポンプを配置したポンプケースを容器本体に取り付けた際には，エアーポンプのエアーホースは，上記隔壁の第１導出部及び上記ホース室の第２導出部を経由して水溶液中に配置される。そのため，この状態において，エアーポンプを作動させることにより，水溶液中にエアーを噴出させることができる。
【００１０】
また，上記エアーホースを上記容器本体内まで導出するための導出部は，上記ホース室と容器本体との間には，上記第２導出部として形成されているが，上記ポンプ配置室と容器本体との間には形成されていない。そのため，たとえ容器本体内に保持した水溶液が上記ポンプケースまで到達した場合でも，この水溶液は，ポンプ配置室におけるエアーポンプまで浸入するためには，ホース室の第２導出部及び隔壁の第１導出部を経由してしか浸入することができない。
そのため，ポンプ配置室に水溶液が浸入することがほとんどなく，エアーポンプを水溶液から保護することができる。
【００１１】
また，上記ポンプケースを上記容器本体に形成した載置段差部に載置した状態においては，ポンプケースの下方には，水溶液及び魚介類等を収納することができる上記収納空間が形成されている。そのため，上記容器本体に水溶液及び魚介類等を収納する際には，この収納空間も利用して収納を行うことができる。そのため，容器本体において水溶液及び魚介類等を収納するための実質的な収容容積が小さくなることを抑制することができる。これにより，特に，容器本体の大きさに近いような大きな魚介類等を収納することも可能になる。
【００１２】
また，上記蓋部には，上記エアーポンプ等を設けていないため，この蓋部を軽くすることができる。そのため，水溶液及び魚介類等を出し入れする際における蓋部の取扱いが容易である。
それ故，本発明の搬送容器によれば，水溶液及び魚介類等の出し入れが容易であると共に，容器本体における実質的な収容容積が小さくなることを抑制することができる搬送容器を提供することができる。
【００１３】
【発明の実施の形態】
上述した本発明における好ましい実施の形態につき説明する。
本発明においては，上記容器本体の側壁における内壁面には，上記ポンプケースが横方向にずれることを防止する横段差部が形成されていることが好ましい（請求項２）。
この場合には，上記搬送容器を搬送する際に，上記ポンプケースが横にずれてしまうことを防止することができ，安定した搬送が可能になる。
【００１４】
また，上記ポンプケースの側壁における上端部には，該側壁の厚みを縮小傾斜させたケース傾斜凸部が形成されていると共に，上記蓋部の下面には，上記ケース傾斜凸部に係合するケース係合凹部が形成されていることが好ましい（請求項３）。
この場合には，上記ケース傾斜凸部と上記ケース係合凹部とにより，上記ポンプ配置室を閉塞して，上記ポンプ配置室内に水溶液が浸入することを一層効果的に防止することができる。
【００１５】
また，上記ポンプ配置室の底上面には，上記ホース室に向けて低くなるよう傾斜した傾斜底面が形成されていると共に，該傾斜底面の最も低い最下端部は，上記ホース室の底上面よりも高い位置にあり，かつ，上記隔壁の上記第１導出部は，上記最下端部に繋がるよう形成されていることが好ましい（請求項４）。
この場合は，上記ポンプ配置室に水溶液が浸入し易くはなるが，浸入してしまったときでも，直ちに浸入後の水溶液を容器本体内に排出しようとするものである。また，この場合には，上記ホース室の第２導出部をこのホース室の底部に設けておくか，もしくは上記ホース室の底部に排水穴を設けておく。
【００１６】
そして，この場合には，上記ポンプ配置室に浸入した水溶液は，上記傾斜底面を伝って上記隔壁の第１導出部へと流れ，この第１導出部からホース室に流れると共に，ホース室の上記第２導出部もしくはホース室の上記排水穴より容器本体内へと流れる。そのため，ポンプ配置室に水溶液が浸入してしまったときでも，これを容易に容器本体内に排出することができる。
【００１７】
また，上記ポンプケースの側壁における外壁面には，下方に向けて内側に傾斜するケース傾斜面が形成されており，上記容器本体の側壁における内壁面において上記載置段差部よりも上方の部分には，上記ケース傾斜面と対面する傾斜内壁面が形成されていることが好ましい（請求項５）。
【００１８】
この場合には，上記ポンプケースを上記容器本体に取り付けた状態において，ポンプケースのケース傾斜面が，容器本体の傾斜内壁面に対面すると共に，これを容器本体の外側方向に押圧することができる。そのため，容器本体へのポンプケースの保持性を向上させることができる。
また，この場合には，容器本体にポンプケースを取り付ける際に，上記ケース傾斜面を上記傾斜内壁面に対して，できるだけ摺動させずに対面させることができる。そのため，容器本体へのポンプケースの取付性も向上させることができる。
【００１９】
また，上記ポンプケースは，ヒンジ部を介して一体的に設けたケース蓋部を有しており，該ケース蓋部には，上記ポンプ配置室内にエアーを導くためのエアー導入口が設けてあることが好ましい（請求項６）。
この場合には，上記ケース蓋部は，上記ヒンジ部を介して開閉が可能であり，上記ケース蓋部を閉じたときには，ポンプ配置室内への水溶液の浸入を一層効果的に防止することができる。
【００２０】
【実施例】
以下に，図面を用いて本発明の搬送容器１にかかる実施例につき説明する。
（実施例１）
本例の発泡樹脂製の搬送容器１は，図１，図５に示すごとく，容器本体２と蓋部３とを有しており，さらに容器本体２に対して着脱自在に設けたポンプケース４を有している。また，容器本体２の側壁２１における内壁面２０１には，上記ポンプケース４を載置するための載置段差部２２が形成されている。
また，図２，図３に示すごとく，上記ポンプケース４は，隔壁４３により，エアーポンプ５を配置するポンプ配置室４１と，エアーポンプ５に接続されたエアーホース５１を経由させるホース室４２とに区画してある。
【００２１】
また，図２，図３に示すごとく，隔壁４３の上端部４３１には，上記エアーホース５１を上記ホース室４２に導くための第１導出部４３１が設けてあると共に，上記ホース室４２には，上記エアーホース５１を上記容器本体２内に導くための第２導出部４２１が設けてある。
【００２２】
そして，図１，図２に示すごとく，上記搬送容器１は，上記ポンプケース４を上記載置段差部２２に載置した状態においては，上記エアーホース５１が上記隔壁４３の上記第１導出部４３１及び上記ホース室４２の上記第２導出部４２１を経由して，上記容器本体２内に導出されるよう構成されている。また，図１に示すごとく，搬送容器１は，上記ポンプケース４の下方に収納空間４０が形成されるよう構成されている。なお，この収納空間４０は，容器本体２内におけるポンプケース４の下方以外の部分にも形成されている。
【００２３】
以下に，これを詳説する。
図１に示すごとく，本例の搬送容器１は，上記エアーポンプ５により上記容器本体２内に保持した水溶液にエアーを噴出させることが可能であり，魚介類等を活きたままでも搬送することができるものである。
また，図３，図５に示すごとく，上記容器本体２の側壁２１における上端部２１１には，この側壁２１の厚みを縮小させた本体凸部２４が形成されていると共に，上記蓋部３の下面３０１には，上記本体凸部２４に係合する蓋係合凹部３１が形成されている。本例では，図１，図３に示すごとく，上記本体凸部２４を上記蓋係合凹部３１に嵌入できるようになっており，容器本体２に蓋部３を取り付けた状態において，容器本体２内に保持した水溶液が外部に漏れないようになっている。
【００２４】
また，図２に示すごとく，上記ポンプケース４は，上記容器本体２内の一部分に設けてある。具体的には，上記容器本体２におけるいずれかの側壁２１（本例では第１側壁２１ａ）の側に寄せて設けてある。そして，上記載置段差部２２は，上記第１側壁２１ａに形成してある。
また，上記容器本体２の側壁２１における内壁面２０１には，上記ポンプケース４が横方向にずれることを防止する横段差部２３が形成されている。本例では，この横段差部２３は，上記第１側壁２１ａに直交する２つの第２側壁２１ｂに形成されており，載置段差部２２とともにポンプケース４を支えることができる。また，横段差部２３により，搬送容器１を搬送する際に，ポンプケース４が横にずれてしまうことを防止することができ，安定した搬送が可能になる。
【００２５】
本例では，図５に示すごとく，上記載置段差部２２は，容器本体２の側壁２１（第１側壁２１ａ）の内壁面２０１における底部側において側壁２１の厚みを拡大させた拡大側壁部２１３と，側壁２１における一般側壁部２１２との間に形成している。また，図２に示すごとく，上記横段差部２３は，容器本体２の側壁２１における内壁面２０１に突起部２３１を設けることにより形成している。
なお，上記載置段差部２２は，第１側壁２１ａ及び２つの第２側壁２１ｂに形成してもよい。
【００２６】
一方で，図６〜図８に示すごとく，載置段差部２２は，容器本体２の側壁２１（第１側壁２１ａ及び２つの第２側壁２１ｂ）の内壁面２０１における上部側において側壁２１の厚みを縮小させた縮小側壁部２１４と，側壁２１における一般側壁部２１２との間に形成してもよい。また，この場合には，図７に示すごとく，横段差部２３は，上記縮小側壁部２１４の形成により，側壁２１の横方向に形成される。またこの場合，より具体的には，容器本体２の側壁２１における内壁面２０１において，ポンプケース４における側壁４４の全体の面積に対応する部分を座ぐるようにして取り除いた形状により，上記載置段差部２２及び横段差部２３を形成することができる。
【００２７】
また，図９に示すごとく，上記載置段差部２２は，上記容器本体２の内側に向けて突出した多数の内方突起２２１により形成してもよい。この場合には，各内方突起２２１の断面形状としては，角柱状，半裁円柱状等種々の形状とすることができる。また，この場合には，搬送容器１の搬送中に，容器本体２に収納した水溶液が波立ったり泡立ったりすることを効果的に抑制することができる。
【００２８】
また，図５に示すごとく，上記ポンプケース４の側壁４４における上端部４４１には，この側壁４４の厚みを縮小傾斜させたケース傾斜凸部４５が形成されていると共に，上記蓋部３の下面３０１には，上記ケース傾斜凸部４５に係合するケース係合凹部３２が形成されている。本例のケース傾斜凸部４５は，ポンプケース４の側壁４４の上端部４４１を三角断面形状に形成し，本例のケース係合凹部３２は，これに合うよう三角溝状に形成した。
【００２９】
そして，図１，図３に示すごとく，蓋部３により容器本体２の上方開口部を閉じた際には，ポンプケース４の上方開口部も閉じられる。すなわち，ポンプケース４を容器本体２に取り付け，この容器本体２に対して蓋部３を閉じた際には，容器本体２の本体凸部２４が蓋部３の蓋係合凹部３１に嵌入すると共に上記ケース傾斜凸部４５とケース係合凹部３２とが係合する。これらケース傾斜凸部４５及びケース係合凹部３２の形成により，ポンプケース４におけるポンプ配置室４１を効果的に閉塞することができ，ポンプ配置室４１内に水溶液が浸入することを一層効果的に防止することができる。
【００３０】
本例においては，図５に示すごとく，上記隔壁４３における第１導出部４３１は，隔壁４３の上端部４３０を切り欠くことにより形成し，図３に示すごとく，上記ホース室４２における第２導出部４２１は，ホース室４２側の側壁４４における上端部４４１を切り欠くことにより形成した。また，図２，図３に示すごとく，ホース室４２の底部４２２には，ホース室４２に浸入してしまった水溶液を容器本体２内に排水するための排水穴４６を設けた。
【００３１】
また，図１，図２に示すごとく，上記エアーホース５１の先端部には，エアーポンプ５からのエアーを容器本体２内の水溶液中に分散させるエアー分散器５１１が取り付けてある。そして，本例では，エアーポンプ５をポンプ配置室４１に配置するときには，そのエアーホース５１を上記切欠き形成した第１導出部４３１及び第２導出部４２１に差し込むだけでよく，このエアーポンプ５の配置が簡単である。
【００３２】
また，図４に示すごとく，上記蓋部３には，一対のエアー吸排気口３３が設けてある。この一対のエアー吸排気口３３は，容器本体２に対してポンプケース４及び蓋部３を取り付けたときに，一方がエアーポンプ５を収納したポンプ配置室４１内にエアーを導くためのエアー吸気口となり，他方が容器本体２から外部へエアーを排気するためのエアー排気口となる。
また，上記蓋係合凹部３１，上記ケース係合凹部３２及びエアー吸排気口３３は，容器本体２に対して蓋部３を左右のどちらの向きにでも取り付けることができる（１８０°回転させた状態でも取り付けることができる）ように設けてある。
【００３３】
図５に示したように，上記ポンプケース４は，上記容器本体２に別個に設けてあると共に容器本体２に対して着脱自在であり，容器本体２に水溶液及び魚介類等を出し入れする際には，容器本体２より取り外すことができる。そのため，この出し入れの際には，容器本体２内にポンプケース４が障害物として存在することがなく，容器本体２の上方のほぼ全体を開口させることができる。
そのため，この広い開口部分に対して水溶液及び魚介類等を出し入れすることができ，この作業が容易である。
【００３４】
また，図２，図３に示したように，上記ポンプケース４には，上記エアーポンプ５を配置するポンプ配置室４１と，上記エアーホース５１を経由させるホース室４２とが形成されている。そして，上記容器本体２内に水溶液及び魚介類等を収納すると共に，エアーポンプ５を配置したポンプケース４を容器本体２に取り付けた際には，エアーポンプ５のエアーホース５１は，上記隔壁４３の第１導出部４３１及び上記ホース室４２の第２導出部４２１を経由して水溶液中に配置される。そのため，この状態において，エアーポンプ５を作動させることにより，水溶液中にエアーを噴出させることができる。
【００３５】
また，図２，図３に示したように，上記ホース室４２には上記排水穴４６及び上記第２導出部４２１を形成したが，上記ポンプ配置室４１にはこのような穴又は導出部は形成していない。そのため，たとえ容器本体２内に保持した水溶液が上記ポンプケース４まで到達した場合でも，この水溶液は，ポンプ配置室４１におけるエアーポンプ５まで浸入するためには，ホース室４２の排水穴４６又は上記第２導出部４２１，並びに隔壁４３の第１導出部４３１を経由してしか浸入することができない。
そのため，ポンプ配置室４１に水溶液が浸入することがほとんどなく，エアーポンプ５を水溶液から保護することができる。
【００３６】
また，図１に示すごとく，上記ポンプケース４を上記容器本体２に形成した載置段差部２２に載置した状態においては，ポンプケース４の下方には，水溶液及び魚介類等を収納することができる上記収納空間４０が形成される。そのため，容器本体２に水溶液及び魚介類等を収納する際には，この収納空間４０も利用して収納を行うことができる。そのため，容器本体２において水溶液及び魚介類等を収納するための実質的な収容容積が小さくなることを抑制することができる。これにより，特に，容器本体２の大きさに近いような大きな魚介類等を収納することも可能になる。
【００３７】
また，図５に示したように，上記蓋部３には，エアーポンプ５等の比較的重量があるものを設けていないため，この蓋部３を軽くすることができる。そのため，水溶液及び魚介類等を出し入れする際における蓋部３の取扱いが容易である。それ故，本例の搬送容器１によれば，水溶液及び魚介類等の出し入れが容易であると共に，容器本体２における実質的な収容容積が小さくなることを抑制することができる搬送容器１を提供することができる。
【００３８】
（実施例２）
本例においては，図１０，図１１に示すごとく，上記ポンプケース４の形状を工夫して，たとえポンプ配置室４１内に容器本体２に保持した水溶液が浸入してしまった場合でも，これを容易に排水するようにしている。すなわち，本例のポンプ配置室４１の底上面には，上記ホース室４２に向けて低くなるよう傾斜した傾斜底面４１１が形成されている。また，この傾斜底面４１１は，その最も低い最下端部４１２が，上記ホース室４２の底上面４２２よりも高い位置になるようを形成されている。さらに，本例の隔壁４３における第１導出部４３１は，上記最下端部４１２に繋がるよう形成されている。
【００３９】
本例においては，ポンプ配置室４１に浸入した水溶液は，上記傾斜底面４１１を伝って隔壁４３の第１導出部４３１へと流れ，この第１導出部４３１からホース室４２の底上面４２２に流れると共に，ホース室４２の排水穴４６より容器本体２内へと流れる。そのため，ポンプ配置室４１に水溶液が浸入してしまったときでも，これを容易に容器本体２内に排出することができる。
【００４０】
また，図１０に示すごとく，本例のホース室４２における排水穴４６は，下方に向かって縮径するテーパ状の排水穴としている。これにより，容器本体２からホース室４２へは水溶液が浸入し難く，ホース室４２からは容器本体２内へは水溶液を排水し易いようにすることができる。
本例においても，その他の構成は上記実施例１と同様であり，その他，上記実施例１と同様の作用効果を得ることができる。
【００４１】
（実施例３）
本例においては，図１２に示すごとく，ポンプケース４及び容器本体２の形状に工夫をして，ポンプケース４の保持性及び取付性を向上させている。すなわち，本例のポンプケース４の側壁４４における外壁面には，下方に向けて内側に傾斜するケース傾斜面４４２が形成されている。また，本例の容器本体２の側壁２１における内壁面２０１において上記載置段差部２２よりも上方の部分には，上記ケース傾斜面４４２と対面する傾斜内壁面２５が形成されている。
【００４２】
本例においては，ポンプケース４は容器本体２に対してくさび状に嵌入される。すなわち，ポンプケース４を容器本体２に取り付けた状態において，ポンプケース４のケース傾斜面４４２が，容器本体２の傾斜内壁面２５に対面すると共に，これを容器本体２の外側方向に押圧することができる。そのため，容器本体２へのポンプケース４の保持性を向上させることができる。
【００４３】
また，本例においては，容器本体２にポンプケース４を取り付ける際に，上記ケース傾斜面４４２を上記傾斜内壁面２５に対して，できるだけ摺動させずに対面させることができる。そのため，容器本体２へのポンプケース４の取付性も向上させることができる。
本例においても，その他の構成は上記実施例１と同様であり，その他，上記実施例１と同様の作用効果を得ることができる。
【００４４】
（実施例４）
本例においては，図１３に示すごとく，上記ポンプケース４に，ヒンジ部（インテグラルヒンジ）４８を介して一体的に設けたケース蓋部４７を有している。また，ヒンジ部４８及びケース蓋部４７は，上記ホース室４２において上記第２導出部４２１を設けた側，すなわちポンプケース４を上記容器本体２に取り付けた状態において容器本体２の内側（開放側）に位置するよう形成している。
また，ケース蓋部４７には，上記ポンプ配置室４１内にエアーを導くためのケースエアー導入口４７１が設けてある。また，このケースエアー導入口４７１は，ポンプケース４を上記容器本体２に取り付け，これに上記蓋部３を閉じた際には，蓋部３の上記エアー吸排気口３３に連通する位置に形成されている。
【００４５】
本例においては，上記ケース蓋部４７は，上記ヒンジ部４８を弾性変形させることにより開閉が可能であり，ケース蓋部４７を閉じたときには，ポンプ配置室４１内への水溶液の浸入を一層効果的に防止することができる。
本例においても，その他の構成は上記実施例１と同様であり，その他，上記実施例１と同様の作用効果を得ることができる。
【図面の簡単な説明】
【図１】実施例１における，蓋部及びポンプケースを容器本体に取り付けた状態の搬送容器を示す断面説明図。
【図２】実施例１における，蓋部を取り外した状態の搬送容器を示す平面図。
【図３】実施例１における，蓋部及びポンプケースを容器本体に取り付けた状態の搬送容器を示す図で，図２におけるＡ−Ａ矢視線断面説明図。
【図４】実施例１における，蓋部を示す平面図。
【図５】実施例１における，蓋部及びポンプケースを容器本体より取り外した状態の搬送容器を示す断面説明図。
【図６】実施例１における，載置段差部の形成状態を変更した他の容器本体を示す断面説明図。
【図７】実施例１における，載置段差部の形成状態を変更した他の容器本体を示す図で，図６におけるＡ−Ａ矢視線断面説明図。
【図８】実施例１における，載置段差部の形成状態を変更した他の容器本体を示す図で，図７におけるＢ−Ｂ矢視線断面説明図。
【図９】実施例１における，載置段差部を多数の内方突起により形成した他の容器本体を示す斜視説明図。
【図１０】実施例２における，ポンプケースを示す断面説明図。
【図１１】実施例２における，ポンプケースを示す斜視説明図。
【図１２】実施例３における，ポンプケース及び容器本体を示す断面説明図。
【図１３】実施例４における，ポンプケースを示す断面説明図。
【符号の説明】
１．．．搬送容器，
２．．．容器本体，
２０１．．．内壁面，
２１．．．側壁，
２２．．．載置段差部，
２３．．．横段差部，
２５．．．傾斜内壁面，
３．．．蓋部，
３２．．．ケース係合凹部，
４．．．ポンプケース，
４０．．．収納空間，
４１．．．ポンプ配置室，
４２．．．ホース室，
４２１．．．第２導出部，
４３．．．隔壁，
４３１．．．第１導出部，
４４．．．側壁，
４４２．．．ケース傾斜面，
４５．．．ケース傾斜凸部，
４６．．．排水穴，
４７．．．ケース蓋部，
４８．．．ヒンジ部，
５．．．エアーポンプ，
５１．．．エアーホース，
【図１】
2004135550.tif 000003
【図２】
2004135550.tif 000004
【図３】
2004135550.tif 000005
【図４】
2004135550.tif 000006
【図５】
2004135550.tif 000007
【図６】
2004135550.tif 000008
【図７】
2004135550.tif 000009
【図８】
2004135550.tif 000010
【図９】
2004135550.tif 000011
【図１０】
2004135550.tif 000012
【図１１】
2004135550.tif 000013
【図１２】
2004135550.tif 000014
【図１３】
2004135550.tif 000015